(57)【要約】      （修正有）【課題】収容した携帯端末を外的衝撃から保護するための、携帯端末用保護ケースを提供する。【解決手段】携帯端末用保護ケース１は、金属材料或はその他の硬質材料にて一体に形成された外枠２と、弾性材料にて形成された内枠３とからなり、外枠２と内枠３とは互いに嵌合し、内枠３は、携帯端末本体４を内側に嵌め込む嵌合部３１を有する。携帯端末本体４の押しボタンを保護ケース１を取り付けた状態で容易に操作できるようにするために、外枠２において押しボタンにあたる箇所には貫通孔を設け、内枠３において押しボタンにあたる箇所にはエクステンション部を設ける。【選択図】図１
0003185351.tif 000002
【実用新案登録請求の範囲】
【請求項１】
携帯端末本体を外的衝撃から保護するケースであって、
金属材料にて一体に形成された外枠と、弾性材料にて形成された内枠とからなり、
前記外枠と前記内枠とは互いに嵌合し、
前記内枠は、携帯端末本体を内側に嵌め込む嵌合部を有することを特徴とする携帯端末用保護ケース。
【請求項２】
前記外枠は、樹脂、セラミックあるいは木材を含む金属以外の硬質材料にて形成されたことを特徴とする請求項1に記載の携帯端末用保護ケース。
【請求項３】
前記外枠において携帯端末本体の押しボタンにあたる箇所には貫通孔を設け、前記内枠において前記押しボタンにあたる箇所にはエクステンション機能を持たせたことを特徴とする請求項１または２のいずれかに記載の携帯端末用保護ケース。
【請求項４】
前記内枠のエクステンション部の周囲に切り込みを入れたことを特徴とする請求項３に記載の携帯端末用保護ケース。
【考案の詳細な説明】
【技術分野】
【０００１】
収容した携帯端末を外的衝撃から保護するための、外側が硬質材料から形成された携帯端末用保護ケースに関する。
【背景技術】
【０００２】
スマートフォンとも呼ばれる多機能携帯電話が急速な普及を見せており、年齢や性別や職業を問わず、財布やハンカチーフなどと同様に外出時の必需品になりつつある。
多機能携帯電話に代表される携帯端末は、小型でありながら最大限の液晶画面を持つ。液晶画面は割れやすいガラスが主要な構成要素である。そのためガラスパネルの破損防止に神経を使うことになり、携帯端末本体を内側に収容する保護ケースを用いることが多い。
【０００３】
携帯端末用の保護ケースに関する特許文献としては、実用新案登録第３１２４９１５号公報（特許文献１）に記載の「携帯電話用保護ケース」がある。これは、携帯電話を覆って保護するケースをセラミックで形成したものであり、セラミックをケースとして薄く仕上げた場合に外力による破損を防止するためセラミックの裏側に補強層を貼り付けたことを特徴とする。
【０００４】
また、保護ケースは非特許文献１、非特許文献２などに見られるように、実用品にとどまらず、一種のファッションアイテムとしても魅力的な製品が多数提供されている。
【先行技術文献】
【特許文献】
【０００５】
【特許文献１】実用新案登録第３１２４９１５公報
【非特許文献】
【０００６】
【非特許文献１】http://item.rakuten.co.jp/bleuclair/gi200/
【非特許文献２】http://item.rakuten.co.jp/royal3000/x536
【考案の概要】
【考案が解決しようとする課題】
【０００７】
特許文献１に記載の「携帯電話用保護ケース」は、セラミック製のケースの内側に補強層を貼り付けているので、ケースごと外部からの衝撃を受けたときにセラミックのケースは破損を免れるかもしれないが、携帯電話本体に伝わる衝撃を低減させる効果は少ない。そのため携帯電話本体が破損するおそれが残る。また、セラミックのケースと補強層とが一体化して販売されたり使用されたりするので、セラミックのケースと補強層のいずれか一方だけが破損したり汚れたりしたときに、それだけを取り替えるといったことができない。
【０００８】
非特許文献１に掲載されているような既存の保護ケースは、１個のケースが２つの部分に分かれていて、携帯端末を内側に収容してからネジで２つの部分を止めたりする態様のものが多かった。そのため、部品点数が多く、ネジ穴なども設けることから製造の手間がかかりコスト増につながった。しかも、筐体を保護ケースで覆うのに手数がかかるので、携帯端末を持ち歩くＴＰＯに合わせて保護ケースを取替えて楽しむことも気軽にはできなかった。保護ケースを製造するメーカーにとっても、２つに分かれているとデザイン上の制約が生じていた。しかも、金属製保護ケースでネジを使わない場合、保護ケースに携帯端末本体を収容するときに筐体の表面を傷つけるおそれがあった。また、金属のみの保護ケースであると、落下時等の大きな衝撃を低減する効果は弱い。
【０００９】
非特許文献２に掲載されているような硬質樹脂でできた保護ケースの場合、保護ケースに携帯端末本体を収容するときに携帯端末本体の筐体に傷がつかず、また落下時等の大きな衝撃についても、保護ケースそのものが破損することで携帯端末本体を保護することができる。しかし、それでは保護ケースが一旦破損すると保護効果が無くなってしまう。
【００１０】
そのため、本考案は、ネジ止めなどを不要とする一体となった枠から構成されるケースを提供し、携帯端末の本体に容易に取り付けることができ、多様なデザインも楽しめるようにすることを課題とする。さらに、携帯端末の本体を外的衝撃から保護するのに優れ、保護ケースの内側に当接する筐体の表面が傷つくことを防止する保護ケースの提供も課題とする。
【課題を解決するための手段】
【００１１】
上記の目的を実現するために、請求項１に係る考案は、
携帯端末本体を外的衝撃から保護するケースであって、
金属材料にて一体に形成された外枠と、弾性材料にて形成された内枠とからなり、
前記外枠と前記内枠とは互いに嵌合し、
前記内枠は、携帯端末本体を内側に嵌め込む嵌合部を有することを特徴とする。
これにより、種々のアクシデントによる携帯端末への衝撃を抑止或は軽減することができる。
外枠は一体に形成されているので、ネジなどは不要であり、デザイン上の自由度が高まるとともに、部品点数が少ないので製造コストを抑えることができる。
内枠に弾性材料を使用することの効果は顕著である。携帯端末本体の内枠内部への収容が容易にできるし、また外枠との嵌合も容易にできる。
保護ケースを構成する外枠と内枠は嵌合して用いるのであって、接着剤などで貼り付けているわけではないので、外枠と内枠のいずれも単独で販売可能である。そのため、ファッションに関心の高い人は色彩の異なる複数の内枠を購入することもあり、需要の拡大が期待できる。
「携帯端末」としてスマートフォンとも呼ばれる多機能携帯電話を想定している。しかし、従来型の携帯電話であっても折りたたまないタイプであれば本考案の保護ケースを用いることができる。
【００１２】
請求項２に係る考案は、請求項１に記載の携帯端末用保護ケースであって、
前記外枠は、樹脂、セラミックあるいは木材を含む金属以外の硬質材料にて形成されたことを特徴とする。
これにより、ＴＰＯにあわせた外枠を用いることができる。例えば、木目の美しい木材を用いると風雅であり、大理石などの石材を用いると高級感が増す。
【００１３】
請求項３に係る考案は、請求項１または２のいずれかに記載の携帯端末用保護ケースであって、
前記外枠において携帯端末本体の押しボタンにあたる箇所には貫通孔を設け、前記内枠において前記押しボタンにあたる箇所にはエクステンション機能を持たせたことを特徴とする。
これにより、携帯端末本体の側面全部を本考案の保護ケースで覆うことができる。ユーザは保護ケースを取り付けた状態で押しボタン型の電源スイッチやその他の操作スイッチを操作できる。
【００１４】
請求項４に係る考案は、請求項３に記載の携帯端末用保護ケースであって、
前記内枠のエクステンション部の周囲に切り込みを入れたことを特徴とする。
これにより、エクステンション機能について操作性が向上し、簡単に押しボタンの操作ができる。
【考案の効果】
【００１５】
本考案の保護ケースは外側の金属の枠が一体となっているので、枠が２つに分かれている従来のケースのようにネジ止めが不要であり、製造の手間もかからない。また、つなぎ目や切れ目が無いので、デザイン上の自由度が高い。
さらに、本考案のケースは金属製の外枠の内側に弾性材料からなる内枠を設けているので、携帯端末を床などに落としたとしても内枠が衝撃を吸収するので破損を抑制できる。しかも内枠が弾性材料からなるので携帯端末の本体を保護ケース内に嵌め込みやすく、筐体の表面が傷つきにくい。
【図面の簡単な説明】
【００１６】
【図１】本考案の一実施形態を示す分解図である。
【図２】図１を組み立てた後の斜視図である。
【図３】図２のＡ−Ａ部の断面図である。
【図４】押しボタンのエクステンション部を説明する図である。
【図５】押しボタンのエクステンション部を説明する図である。
【図６】図５のＢ−Ｂ部のエクステンション部付近の部分断面図である。
【考案を実施するための形態】
【００１７】
図面を参照しながら、本考案の一実施形態の保護ケース１について説明する。
図１に示すように、保護ケース１は外枠２と内枠３とからなる。つまり保護ケース１は二重になった枠であり、この枠を、携帯端末本体４の４つの部分からなる側面に嵌め込んで用いる。図２は、携帯端末本体４に保護ケース１を取り付けた状態を示す斜視図である。
【００１８】
内枠３は、ラバーや樹脂などの弾性のある材料から形成され、携帯端末本体４の側面を縁取るような枠状をしている。
図３（ａ）は、図２のＡ−Ａ部による内枠３の断面図である。この断面図に示すように内枠３は、携帯端末本体４を嵌め込む嵌合部３１と、外枠２を嵌め込む嵌合部３２を有している。
図３（ｂ）は、嵌合部３１、３２に携帯端末本体４と外枠２を嵌め込んだ状態を示す断面図である。
なお、本実施形態では、嵌合部３２を内枠３の外側に設けているが、外枠２の内側に嵌合部を設け、これに内枠３を嵌め込むようにしてもよい。嵌合部がどちらにあるかは重要ではない。接着剤などが不要であるという点が重要なのである。
【００１９】
外枠２は、金属や硬質樹脂や木材・石材などの硬質材料から形成され、外枠２の内側は内枠３の嵌合部３２に嵌め込み可能な形状をしている。
外枠２は、つなぎ目や切れ目がない一体となった枠であり、従来の保護ケースのように２つの枠から形成されているわけではないので、ネジ止めなどが不要である。
【００２０】
次に保護ケース１の使用について説明する。
まず、内枠３の嵌合部３１に携帯端末本体４の側面を嵌め込む。内枠３は弾性があるので、携帯端末本体４を容易に嵌め込むことができ、しかも携帯端末本体４の筐体を傷つけることがない。
次に、内枠３の嵌合部３２に外枠２を嵌め込む。内枠３は弾性があるので、外枠２を容易に嵌め込むことができる。
【００２１】
従来は、携帯端末本体を金属製や硬質樹脂製のケースに直接収容する保護ケースが多かった。しかし、本実施形態では、携帯端末本体４と金属製のケース（外枠２）の間にクッションのように弾性のある内枠３を入れている。そのため、携帯端末本体４を外的衝撃から保護することができる。また、携帯端末本体４の筐体表面が傷つくことを防止できる。また、保護ケースそのものも強靭であり長期間使用できる。
本実施形態では図３に示すように、内枠３に嵌合部３１を設けて携帯端末本体４を嵌め込んでいるので、携帯端末本体４の液晶画面のガラスパネル４１がテーブルや床などの平面上に直接的に接触することがない。そのため、誤って床などに落下させたりしても、ガラスパネル４１が破損することを防止できる。
【００２２】
外枠２と内枠３は、保護ケースの使用時に嵌合して用いるので、販売時に外枠２と内枠３を別売りにすることができる。外枠２と内枠３をそれぞれ複数種類用意しておき、ＴＰＯに合わせて外枠２と内枠３を組み合わせてもよい。内枠３は、樹脂などを材料とするので多様な色彩で着色でき、ユーザはデザイン上の変化を楽しむことができる。
【００２３】
ところで、携帯端末本体４には、スイッチ類やイヤホンジャック、充電コネクタなどが備えられている。
イヤホンジャックなどに当たる箇所には、外枠２と内枠３のいずれにも貫通孔（図示せず）を穿ち、保護ケースを使用した状態でもイヤホンなどが使用可能とする必要がある。
【００２４】
電源スイッチや各種操作用スイッチとして押しボタンタイプのものが多いが、保護ケースを使用した状態での操作を容易にするために、図４〜図６に示すようなエクステンション機能を利用するとよい。
図４（ａ）は携帯端末本体４の側面に備えられた押しボタン４２を示す。図４（ｂ）は、それに対応する外枠２の貫通孔２１を示す。図４（ｃ）は、それに対応する内枠３のエクステンション部３３を示す。図４（ｄ）は、エクステンション部３３（破線内）の拡大図である。
図５は、外枠２、内枠３、携帯端末本体４を一体化させた図である。
エクステンション部３３は、非操作時には突起している操作部３３１を有し、その周囲には切り込み部３３２が設けられている。ユーザは、図６（ａ）のＢ−Ｂ部分断面図に示すように外枠２の貫通孔２１の外側開口部まで突起している操作部３３１を、図６（ｂ）の矢印Ｒの方向に押す。操作部３３１は周囲に切り込み部３３２が設けられていることから容易に内枠３の内側方向に押し込まれ、対応する箇所にある携帯端末本体４の押しボタン４２を押圧する。このようにユーザは操作部３３１を介して押しボタン４２を操作できる。
【００２５】
〔その他〕
上記の実施形態は、本考案の実施形態の例示にすぎず、種々の変形例が考えられる。
例えば、上記の実施形態では、外枠は枠状であるが、携帯端末本体４の背面にあたる部分は面（外枠はトレイ状）でもよい。あるいはメッシュ状でもよい。
外枠は、さまざまなデザインの余地があり、例えば子供用に熊などの動物をデフォルメした形状にしてもよい。
【産業上の利用可能性】
【００２６】
携帯端末はもはや必需品となり、バッグやポケットに入れて持ち歩くことからファッションの要素も要求されるようになっている。保護機能にすぐれているだけでなく、デザインの自由度を高めることができる本考案の保護ケースは、ファッション面を重視するユーザの需要が期待できる。
【符号の説明】
【００２７】
１  保護ケース
２  外枠
２１  （押しボタンスイッチ用の）貫通孔
３  内枠
３１  （携帯端末本体を嵌め込むための）嵌合部
３２  （外枠を嵌め込むための）嵌合部
３３  （押しボタンスイッチ用の）エクステンション部
３３１  （エクステンション部の）操作部
３３２  （エクステンション部の周囲の）切り込み部
４  携帯端末本体
４１  （液晶画面の）ガラスパネル
４２  押しボタンスイッチ
【図１】
0003185351.tif 000003
【図２】
0003185351.tif 000004
【図３】
0003185351.tif 000005
【図４】
0003185351.tif 000006
【図５】
0003185351.tif 000007
【図６】
0003185351.tif 000008
【手続補正書】
【提出日】平成25年5月30日(2013.5.30)
【手続補正１】
【補正対象書類名】実用新案登録請求の範囲
【補正対象項目名】請求項３
【補正方法】変更
【補正の内容】
【請求項３】
前記外枠において携帯端末本体の押しボタンにあたる箇所には貫通孔を設け、前記内枠において前記押しボタンにあたる箇所にはエクステンション部を設け、
該エクステンション部は、非操作時には前記貫通孔の外側開口部まで突起している可動性のある操作部を有し、
該操作部を前記貫通孔の外側から押し込むことにより前記操作部が内側に向かって変形し、前記押しボタンを押圧する
ことを特徴とする請求項１または２のいずれかに記載の携帯端末用保護ケース。
【手続補正２】
【補正対象書類名】明細書
【補正対象項目名】００１３
【補正方法】変更
【補正の内容】
【００１３】
請求項３に係る考案は、請求項１または２のいずれかに記載の携帯端末用保護ケースであって、
前記外枠において携帯端末本体の押しボタンにあたる箇所には貫通孔を設け、前記内枠において前記押しボタンにあたる箇所にはエクステンション部を設け、
該エクステンション部は、非操作時には前記貫通孔の外側開口部まで突起している可動性のある操作部を有することを特徴とする。
該操作部は可動性があるので、前記貫通孔の外側から押し込むことにより前記操作部が内側に向かって変形し、前記押しボタンを押圧することができる。
これにより、携帯端末本体の側面全部を本考案の保護ケースで覆うことができる。ユーザは保護ケースを取り付けた状態で押しボタン型の電源スイッチやその他の操作スイッチを操作できる。